Podtech/llm-jp-corpus-v4-ja_patent huggingface dataset:
(57)【要約】【課題】ペットの抜け毛は、多く、日々抜けかわっているため、毎日の手入れは必要不可欠である。ペットの毛の手入れ時、細かく短い抜け毛を吸い込むことがある。さらに、ペットの毛には、雑菌が付着しており不潔であるため、抜け毛は速やかに処分される必要がある。本発明は、衣服のように装着・着脱が可能で、動物の抜け毛をスムーズに除去することに役立つ。また、ペットの飼い主などと共におしゃれ着としても応用できる。【解決手段】本発明のハリグット★スタートは、ペットの体表面（顔面以外）に貼り付けて使用する。ハリグット★スターは、ペットの体表面が一枚で覆える形状で、前足・後足・腹部・尾にフィットするように割が入っている。表面全体には、色、模様がプリントされており、ファッション性があり、飼い主などと共におしゃれを楽しむことができる。裏面全体の四分割シール（前足・後足・腹部・尾の部分）をはがすと接着剤がついている。装着・着脱が容易にできるようになっていて、一度に抜け毛の多くが除去できることを特徴とする。【選択図】    図１
2006288363.tif 000002
【特許請求の範囲】
【請求項１】
ハリグット★スターは、ペットの抜け毛を一度にスムーズに除去することができる用具である。
形状は、ペットの体表面が一枚で覆える形状で、前足・後足・腹部・尾にフィットするように割が入っている。大きさは、大・中・小  などペットの種類に適したものである。
素材は、通気性のある、ふしょく紙などの柔らかいもの（布類も含む）である。表面全体は、無地、または、色、模様がプリントされており、裏面全体の四分割シール（前足・後足・腹部・尾の部分）をはがすと、接着剤がついている。ペットに着せるように貼り付ることを特徴とする。
【請求項２】
本体の形状が、ペット用衣類である請求項１記載の用具
【請求項３】
本体の形状の、両面に接着剤がついており、ペット用衣類の内部に装着できる請求項１記載の用具
【請求項４】
素材が、通気性のある洋紙・和紙・化学繊維である請求項１記載の用具
【請求項５】
本体の接着剤に毛のトリートメント効果のある成分を含む請求項１記載の用具
【請求項６】
本体に、マタタビなど、特定のペットに適した癒し、快楽性のある芳香・脱臭・除菌作用のある成分を含む請求項１記載の用具
【発明の詳細な説明】
【技術分野】
【０００１】  この発明は、衣服のように装着・着脱が可能で、動物の抜け毛をスムーズに除去するための用具に関するものである。また、ペットのおしゃれ着としても応用できる。
【背景技術】
【０００２】  屋内で飼われている小動物であるペット類（猫、犬、ウサギ、ハムスターなどのペットを指す、以下同文）の抜け毛が多く、一度に抜け毛が除去できない。【０００３】  ペットの短い抜け毛が、空中に舞いアレルギーの一因になっている状況がある。【０００４】  ペットにおしゃれをさせてあげたい。
【発明の開示】
【発明が解決しようとする課題】
【０００５】  ペットの抜け毛は、多く、日々抜けかわっているため、毎日の手入れは必要不可欠である。【０００６】  ペットの毛の手入れ時、細かく短い抜け毛を吸い込むことがある。【０００７】  ペットの毛には、雑菌が付着しており不潔であるため、抜け毛は速やかに処分される必要がある。【０００８】  本発明をペットが装着し、飼い主などと共におしゃれをすることができることにある。
【課題を解決するための手段】
【０００９】  本発明のハリグット★スタートは、ペットの体表面（顔面以外）に貼り付けて使用する。ハリグット★スターは、ペットの体表面が一枚で覆える形状で、表面全体は、無地、または、色、模様がプリントされており、裏面全体のシールをはがすと接着剤がついている。装着・着脱が容易にできるようになっていて、一度に抜け毛の多くが除去できることを特徴とする。
【発明の効果】
【００１０】  本発明は、抜け毛が接着面に接着し、空中に抜け毛が舞うことなく、速やかに除去されるため細かく短い抜け毛を吸い込むことが軽減される。【００１１】  一回一枚の使用で、使い捨てであり、抜け毛が接着面に接着しているため、衛生的に廃棄できる。【００１２】  本発明品の表面全体には、色、模様などがプリントされており、装着している間は愛らしく癒し効果がある。【００１３】  本発明品の表面全体の、色、模様などのプリントを変えることにより、飼い主などの服装のＴＰＯに合わせて、コーディネートすることができファッション性が高い。【００１４】  ペットの顔以外の体表面の大部分を覆い、抜け毛が落ちないため、病院などにも許可があれば連れて入れる可能性がある。
【発明を実施するための最良の形態】
【００１５】  以下、本発明の実施の形態を図面に基づき詳細に説明する。【００１６】    図１は、斜体図である。【００１７】図１に示すように、本体はペットの体表面が一枚で覆える形状で、前足・後足・腹部・尾にフィットするように割が入っている。表面全体には、色、模様がプリントされており、裏面全体の四分割シール（前足・後足・腹部・尾の部分）をはがすと、接着剤がついている。ペットに着せるように貼り付ける。
【図面の簡単な説明】
【００１８】
【図１】  本発明の斜体図である。
【符号の説明】
【００１９】      １  本体
２  表面色・模様プリント
３  四分割裏面シール
４  裏面接着部
【図１】
2006288363.tif 000003
(57)【要約】      （修正有）【課題】  植木鉢の転倒防止および鉢の植換えを楽にする器具を提供する。【解決手段】  （イ）植木鉢の中に設けられた目皿１の下に転倒防止用バー２を取り付ける。土の上に置く時は、固定用ピン３を挿し込むことによって転倒を防止する。  （ロ）転倒防止用バー２を目皿１押し上げ用台４に組み替えて目皿１に取りつけ、鉢を上から押し目皿１を押し上げる。【選択図】  図２
2006288365.tif 000002
【特許請求の範囲】
【請求項１】
目皿（１）の下に固定用バー（２）を付け、固定用バー（２）に固定用ピン（３）を挿し込む転倒防止器具。
【請求項２】
固定用バー（２）を押し上げ用台（４）に換え、目皿（１）に付け鉢を上から押し、内部を押し上げる器具。
【発明の詳細な説明】
【技術分野】
【０００１】  この発明は、植木鉢の転倒防止と植換えを楽にする器具に関する物である。
【背景技術】
【０００２】  （イ）従来、植木鉢をそのまま土の上や植木棚の上に置いていた。
（ロ）従来、植換え時根が持ち上がらず、苦労していた。
【発明が解決使用とする課題】
【０００３】これは、次のような欠点があった。
（イ）従来、風の影響を受けよく植木鉢が倒れていた。
（ロ）従来、無理をすると鉢を壊したり、根を痛めてたりしていた。
【課題を解決する為の手段】
【０００４】  （イ）目皿（１）の下に転倒防止用バー（２）を付け固定用ピン（３）を挿し込む。
（ロ）転倒防止用バー（２）を押し上げ用台（４）に換え目皿（１）に付け、鉢を上から押し内部を上げる
本発明は、以上の構成よりなる転倒防止・植換え器具である。
【発明の効果】
【０００５】  （イ）下部が固定されているので風の影響を受けず植木は倒れない。尚、植木棚の上でも固定用バー（２）が出ているので、倒れない。
（ロ）下から内部を持ち上げるので、女性でも楽に植換えが出来る。
【発明を実施する為の最良の形態】
【０００６】以下、本発明を実施する為の最良の形態について説明する。
（イ）目皿（１）に固定用バー（２）を付ける。土の上に置く時は固定用ピン（３）を挿し込む。
（ロ）固定用バー（２）を押し上げ用台（４）に換え鉢を上から押して内部を持ち上げる。
本発明は、以上のような構造で植木鉢の固定と植換えを行なえばいい。
【図面の簡単な説明】
【０００７】
【図１】  本発明の斜視図である。
【図２】  本発明の断面図である。
【図３】  本発明の分解平面図である。
【図４】  本発明の分解平面図である。
【図５】  本発明の断面図である。
【図６】  本発明の分解平面図である。
【符号の説明】
【０００８】  １．  目皿
２．  固定用フラットバー
３．  固定用ピン
４．  押し上げ用台
【図１】
2006288365.tif 000003
【図２】
2006288365.tif 000004
【図３】
2006288365.tif 000005
【図４】
2006288365.tif 000006
【図５】
2006288365.tif 000007
【図６】
2006288365.tif 000008
(57)【要約】【課題】    ゆれる車内等でしょう油が飛び散らないようにペースト化されたしょう油のカプセルを提供する。【解決手段】  針を内蔵した結合器で、ペースト化剤の入った真空カプセルとしょう油カプセルを結合させペースト化されたしょう油をつくる装置。【選択図】    図２
2006288360.tif 000002
【特許請求の範囲】
【請求項１】
（イ）しょう油をペースト化剤の入った真空カプセルに移す針装置を内蔵した結合器。
（ロ）適量のしょう油の入ったカプセルとペースト化剤の入った真空カプセル。
以上の構成により、しょう油とペースト化剤の入ったカプセルを結合器で混合し、ペースト化されたしょう油をつくる装置。
【発明の詳細な説明】
【技術分野】
【０００１】  本発明は、液状であるしょう油の品質を損なわずにしょう油をペースト化する装置に関するものである。
【背景技術】
【０００２】  従来は、液状のしょう油を容器から直接食品に掛けるか、小容器に移してから使用している。
【発明の開示】
【発明が解決しようとする課題】
【０００３】そのために、次のような問題があった。
（イ）ゆれる車内でしょう油を使うとき飛び散ったり
（ロ）使用後のしょう油が染み出して
服や座席等を汚すことがあった。
【課題を解決するための手段】
【０００４】  しょう油の品質を損なわずに、しょう油をペースト化するための仕組みは、以下の通りである。
（イ）針を内蔵した結合器にしょう油カプセルとペースト化剤の入った真空カプセルを装填する。
（ロ）両カプセルを結合させしょう油をペースト剤カプセルに移す。
（ハ）しょう油がペースト化カプセルに移しやすくするためにペースト化カプセルは真空である。
【発明の効果】
【０００５】  しょう油がペースト化されると飛び散ったり、染み出したりしないので、ゆれる車内等の食事で他の物を汚す恐れがない。
【発明を実施するための最良の形態】
【０００６】  次に、本発明の実施の形態について、真空の原理を応用した器具の使用方法を例にあげて説明する。
事例    採血器具
採血は、針を使用するので、採血後に止血のため針穴に絆創こうを貼る。本発明も針を使うので、針穴の処理が要る。以下、本発明の実施の形態について説明する。
（イ）弁当一食分のしょう油をカプセルに充填する。
（ロ）しょう油と等量のカプセルに、ペースト化剤を充填し真空にする。
（ハ）結合器に装填されたカプセルを指で押し結合する。
（ニ）しょう油がペースト化剤カプセルに移ったら、結合器から外し針穴処理のため底ふたをかぶせ、しょう油をペースト化する。
本発明は、以上のような構成で、しょう油の品質を損なわずにペーストする装置である。これを使用するときは、カプセルの腹部を指で押し、ペースト化されたしょう油を直接食品に塗るか刷毛に移して使用する。使用後は、結合器と分別して処分する。
【図面の簡単な説明】
【０００７】
【図１】    本発明の斜視図
【図２】    本発明の結合前の一部を切り欠いた側面図
【図３】    本発明の結合後の一部を切り欠いた側面図
【図４】    ペースト化剤カプセルの針穴処理をした状態の側面図とその一部を切り欠いた立面図
【図５】    ペースト化剤カプセルをとり外した結合器の一部を切り欠いた側面図
【符号の説明】
【０００８】        １  しょう油カプセル
２  ペースト化剤入り真空カプセル
３  結合器
４  ３に内蔵される針装置
５  ２の針穴処理の底ふた
６  ２の上ふた
【図１】
2006288360.tif 000003
【図２】
2006288360.tif 000004
【図３】
2006288360.tif 000005
【図４】
2006288360.tif 000006
【図５】
2006288360.tif 000007
(57)【要約】【課題】  病人でも食べられる、縁起の良い「小判型さぬきうどん」を製造する。【解決手段】  型抜き用金型を小判型にして、”さぬきうどん”を小判型に繰り抜く製造技術、及び、製品。【選択図】  図１
2006288357.tif 000002
【特許請求の範囲】
【請求項１】
小麦を練って、小判型に模る”さぬきうどん”、及び、製法、製造金型。
【発明の詳細な説明】
【発明の詳細な説明】
本発明は、自分の父親が腹筋の病気で、麺を吸い上げる事が出来ないから発明したものである。
従来の技術は、小麦と水を混ぜ、捏ね、ローラーで平たくして、カッターで切断して、細長い糸を作り、市販のうどんを製造している。
発明は、小麦と水を混ぜ、捏ね、ローラーで平たくして、カッターで切断した後、小判型の金型で繰り抜き、小判型のうどんを製造後、見た目にわ縁起が良いので金色に染める。
【図面の簡単な説明】
【図１】  小判型さぬきうどん、及び、小判型うどん金型。
【図１】
2006288357.tif 000003
(57)【要約】【課題】グルテンを使用しない１００％米粉を使って、手軽で簡単に米粉パンの製造が出来るように、特殊な機械や器具、材料、発泡技術などを使用せずにパンを製造する。【解決手段】１００％米粉を使用して、従来のパンの製造方法で生地の水の配合割合と発酵時間を調製することにより、米粉パンを製造する。【選択図】なし【特許請求の範囲】
【請求項１】
小麦粉の代わりに混ぜ物のない１００％米粉を使用して、水の配合割合と発酵時間を調製することでパンを製造することを特徴とする米粉パンの製造方法
【請求項２】
米粉重量を１００とした場合に、前記水の配合割合を９０〜９２とすることを特徴とする請求項１に記載の米粉パン製造方法
【請求項３】
請求項１および請求項２により製造した米粉パン
【発明の詳細な説明】
【技術分野】
【０００１】  米粉を使ったパンの製造に関する技術である。
【背景技術】
【０００２】  現在のパンのほとんどは原料に小麦粉を使用して製造されている。小麦粉にはアレルギーを引き起こすタンパク質が含まれており、パンを食べるとアレルギーを起こすため、パンを食べることが出来ない人がいる。【０００３】  パンを食べるとアレルギーを起こす人のために、パンを製造するための米粉が開発されているが、そのほとんどは、小麦粉に含まれるタンパク質の中でもアレルギーを起こす人の少ないグルテンを小麦粉から抽出し、米粉に混ぜて使用している。【０００４】  グルテンを混ぜることにより従来と同じ方法でのパンの製造が可能になり、アレルギーにならない、小麦のパンに比べて低カロリーである、米粉パン独特の風味があるなどの理由から、米粉パンはその需要を広げつつある。【０００５】  現在、米粉パンのほとんどがグルテンを添加した米粉を原料に作られているが、グルテンを使用しない米粉でパンが製造できるようになれば、小麦粉からのグルテンの抽出および米粉への添加が不要になる。また、アレルギーに対しても更に安全性が高まる。
【発明の開示】
【発明が解決しようとする課題】
【０００６】  １００％米粉を使って、手軽で簡単に米粉パンの製造が出来るように、特殊な機械や器具、材料、発泡技術などを使用せずにパンを製造することが課題である。
【課題を解決するための手段】
【０００７】  本発明の第１の方法は、従来の小麦粉によるパンの製造方法において、小麦粉を１００％米粉に置き換え、生地の水の配合割合を従来の食パン生地の基本とされている配合から変化させると共に、発酵時間を適正化することにより、米粉パンを製造する方法である。【０００８】  本発明の第２の方法は、第１の方法において、米粉重量を１００とした場合に、水の配合割合を９０〜９２とすることを特徴とする。
【発明の効果】
【０００９】  この製造方法により、１００％米粉を使って、特殊な機械や器具、材料、発泡技術などを使用せずにパンを製造することができることから、手軽に簡単に米粉パンを製造することが可能になる。
【発明を実施するための最良の形態】
【００１０】  米粉は山形・新潟・富山県産の混合うるち米を粉砕し８０メッシュに調製したものを製菓卸業者より購入し用いた。ドライイーストはスーパーカメリア（日清製粉）、砂糖はスプーン印上白糖（台糖）、塩は食塩（財団法人塩事業センター）、油は豊年サラダ油（ホーネンコーポレション）を使用した。配合比率を下表に示す。【００１１】
【表１】
2006288377.tif 000002
【００１２】  一斤用食パンケースを用いて米粉パンを焼成した。発酵には恒温恒湿室を、焼成には製パン用電気オーブンを利用した。恒温恒湿室は温度３５℃湿度８０％に設定し、発酵時間は決めず、生地が膨化により型の上面まで上がってきたときを発酵終了の見極めとした。一次発酵、二次発酵を行った生地を、２００℃の製パン用電気オーブンで３５分焼成した。その結果、クラムにも細かな気泡が均一に入った米粉パン一斤を焼成することができた。
【実施例】
【００１３】  水の配合割合について、米粉の生地を捏ねることができる８０％より、８２％、８４％と２％ずつ９４％まで追加し、膨張率を測定した結果を表１に示す。膨張率、気泡の状況などから、９０％〜９２％の配合割合が好ましい。【００１４】
【表２】
2006288377.tif 000003
【００１５】  水の配合割合を米粉重量の９０％としたものを生地として、一次発酵、二次発酵それぞれ１０分ごとに膨張率を測定した結果を表２に示す。一次発酵では５０分では中央にくぼみが見られ、二次発酵では２５分以降生地表面にひび割れが見え始めたことから、一次発酵は４０分、二次発酵は２０分が好ましい。【００１６】
【表３】
2006288377.tif 000004
【産業上の利用可能性】
【００１７】  この製造方法により、特殊な機械や器具、材料、発泡技術などを使用せずにパンを製造することができることから、手軽に簡単に米粉パンを製造することが可能になる。これにより、米粉パンの普及拡大につながると共に、小麦粉でアレルギーを起こす人へ安全なパンを供給することができる。
(57)【要約】      （修正有）【課題】格納箱に収められている徐細動器を取り出すときに、病院スタッフ等に非常事態を自動的に知らせる方法を提供する。【解決手段】１は徐細動器を格納する格納箱である。この格納箱には徐細動器を出し入れする扉２が設けられている。扉の近傍に扉の開閉を検出する検出手段３を設ける。検出手段は公知のスイッチを用いればよい。扉を閉めるとスイッチが押され接点が開くように取り付ければよい。スイッチからは電線でナースコールシステムに接続する。ナースコール子機が接続されるコネクターに接続すればよい。【選択図】図１
2006288931.tif 000002
【特許請求の範囲】
【請求項１】
徐細動器を格納する格納箱と、前記格納箱の扉の開閉を検出する検出手段と、前記検出手段からの検出信号をナースコールシステムに伝送し、前記格納箱の扉の開閉を報知する報知システム。    
【請求項２】
前記ナースコールシステムは携帯無線装置を含み、前記格納箱の扉の開閉の報知を前記携帯無線装置で行うことを特徴とする請求項１の報知システム。
【発明の詳細な説明】
【技術分野】
【０００１】
医療現場における報知システムに関する。
【背景技術】
【０００２】
格納箱に収められている徐細動器を取り出すときは、何かしらの非常事態である。  すなわち病院スタッフ等に非常事態を知らせるほうがよいが、その手段は人手を要するものだった。   
【特許文献１】特開2000-231863
【発明の開示】
【発明が解決しようとする課題】
【０００３】
そこで本発明は、徐細動器を格納する格納箱の、扉の開閉を検出し、自動的に報知を行うことを課題とする。    
【課題を解決するための手段】
【０００４】
徐細動器を格納する格納箱の、扉の開閉を検出する検出手段を設け、検出手段からの検出信号をナースコールシステムに伝送し、格納箱の扉の開閉を報知するようにした。    
【発明の効果】
【０００５】
既存ナースコールシステムで自動発報されるので簡易に且つ確実に発報を行える。  
【発明を実施するための最良の形態】
【０００６】
図を用いて説明する。図１の１は徐細動器を格納する格納箱である。  この格納箱には徐細動器を出し入れする扉２が設けられている。        
【０００７】
扉の近傍に扉の開閉を検出する検出手段３を設ける。検出手段は公知のスイッチを用いればよい。扉を閉めるとスイッチが押され接点が開くように取り付ければよい。        
【０００８】
スイッチからは電線でナースコールシステムに接続する。ナースコール子機が接続されるコネクターに接続すればよい。    
【図面の簡単な説明】
【０００９】
【図１】・・・本発明の構成図
【符号の説明】
【００１０】
１  格納箱          ２  扉          ３  検出手段（スイッチ）
【図１】
2006288931.tif 000003
(57)【要約】      （修正有）【課題】従来の音声モニターは新たに設備しなければならない。また異常音を自動的に検出し報知してくれるが、履歴が残らない。既設のナースコールシステムを用いて、かつ履歴が残るモニターシステムを提供する。【解決手段】病室内の音声を検出する異常音検出手段７と、異常音検出手段７からの異常音検出信号を受けるナースコールシステムと、ナースコールシステムから異常音検出の旨のデータを受けるデータ処理手段６と、異常音検出の旨のデータは少なくとも異常音発生源を特定する情報を含み、データ処理手段６は時計と時計手段の時刻と異常音検出を関連付け記録する記録手段と記録手段に記録された内容を出力する出力手段とで構成する。【選択図】図１
2006288934.tif 000002
【特許請求の範囲】
【請求項１】
病室内の音声を検出する異常音検出手段と前記異常音検出手段からの異常音検出信号を受けるナースコールシステムと前記ナースコールシステムから異常音検出の旨のデータを受けるデータ処理手段からなり、前記異常音検出の旨のデータは少なくとも異常音発生源を特定する情報を含み、 前記データ処理手段は時計と前記時計の時刻と異常音発生情報を関連付け記録する記録手段と前記記録手段に記録された内容を出力する出力手段とからなるモニターシステム。    
【請求項２】
前記出力手段は看護記録として出力されることを特徴とする請求項１記載のモニターシステム。
【発明の詳細な説明】
【技術分野】
【０００１】
本発明はナースコールシステムを利用したモニターシステムに関する。
【背景技術】
【０００２】
開示した特許文献のように医療現場での音声モニターは既に公知である。  
【特許文献１】特開2002-180685
【発明の開示】
【発明が解決しようとする課題】
【０００３】
ところで、開示した特許文献の音声モニターは新たに設備しなければならない。また異常音を自動的に検出し報知してくれるが、履歴が残らない。そこで本発明は、既設のナースコールシステムを用いて、かつ履歴が残るモニターシステムの提供を課題とする    
【課題を解決するための手段】
【０００４】
病室内の音声を検出する異常音検出手段と異常音検出手段からの異常音検出信号を受けるナースコールシステムとナースコールシステムから異常音検出の旨のデータを受けるデータ処理手段と異常音検出の旨のデータは少なくとも異常音発生源を特定する情報を含み、データ処理手段は時計と時計手段の時刻と異常音検出を関連付け記録する記録手段と記録手段に記録された内容を出力する出力手段とで構成し課題を解決する。    
【発明の効果】
【０００５】
異常音検出の記録が発生時間と共に残るので、発生傾向等が分かる。また、請求項２に係る発明では、看護記録への記入の手間が省ける。  
【発明を実施するための最良の形態】
【０００６】
図を用いて説明する。  病室には集音マイク４が設置され、患者３が発する音を集音する。        
【０００７】
集音マイク４で集音した音声信号は、異常音検出手段７で特定の信号が含まれているかを検出される。  音声信号に特定の信号が含まれていると、異常音検出手段はナースコールシステムに呼び出し信号を発する。        
【０００８】
ナースステーションにはナースコール親機１が設置されている。このナースコール親機は異常音発生源を特定する情報を含んだ異常音検出の旨のデータをデータ処理手段６に与える。        
【０００９】
データ処理手段はパーソナルコンピュータシステム等を用いる。時計（図示せず）、記録手段（図示せず）はパーソナルコンピュータの物を用いることができる。        
【００１０】
出力手段（図示せず）はディスプレー、プリンター等を用いられる。         
【００１１】
請求項２に係る発明では、前出のパーソナルコンピュータに看護記録作成プログラムを予め準備しておくことで実現する。    
【図面の簡単な説明】
【００１２】
【図１】・・・本発明の構成図である
【符号の説明】
【００１３】
１  ナースコール親機          ２  ベッド          ３  患者          ４  集音マイク          ５  ナースコール情報表示ディスプレー          ６  データ処理手段          ７  異常音検出手段
【図１】
2006288934.tif 000003
(57)【要約】【課題】ナースコールシステムや、音声モニターは既に公知であり、医療現場で採用されている。  一方、開示した特許文献のようにインターホンでは通話相手の映像が確認できるものがあった。ところで、ナースコールシステムでも映像が確認できれば大変便利である。そこで本発明はナースコールシステムでインターホンと同様に映像を確認できるようにすることを課題とする。【解決手段】病室を映し出すようにカメラを設置する。カメラからの映像信号を再生する再生手段を有するナースコール親機とカメラからの映像信号をＰＨＳに転送する転送手段と病室内の音声を検出する異常音検出手段とを構成して、異常音検出手段が音声を検出したときにナースコールの発報を行うとともにカメラからの映像信号をＰＨＳに転送することで課題を解決する。【選択図】図１
2006288933.tif 000002
【特許請求の範囲】
【請求項１】
病室を映し出すように設置されたカメラと  前記カメラからの映像信号を再生する再生手段を有するナースコール親機と  前記カメラからの映像信号をＰＨＳに転送する転送手段と  病室内の音声を検出する異常音検出手段とを有し、  前記異常音検出手段が音声を検出したときに  ナースコールの発報を行うとともに  前記カメラからの映像信号をＰＨＳに転送することを  特徴とするナースコールシステム。
【発明の詳細な説明】
【技術分野】
【０００１】
本発明はナースコールシステムを利用したモニタシステムに関する。
【背景技術】
【０００２】
ナースコールシステムや、音声モニターは既に公知であり、医療現場で採用されている。  一方、開示した特許文献のようにインターホンでは通話相手の映像が確認できるものがあった。
【特許文献１】特開平05-030511
【発明の開示】
【発明が解決しようとする課題】
【０００３】
ところで、ナースコールシステムでも映像が確認できれば大変便利である。そこで本発明はナースコールシステムでインターホンと同様に映像を確認できるようにすることを課題とする。    
【課題を解決するための手段】
【０００４】
病室を映し出すようにカメラを設置する。カメラからの映像信号を再生する再生手段を有するナースコール親機とカメラからの映像信号をＰＨＳに転送する転送手段と病室内の音声を検出する異常音検出手段とを構成して、異常音検出手段が音声を検出したときにナースコールの発報を行うとともにカメラからの映像信号をＰＨＳに転送することで課題を解決する。    
【発明の効果】
【０００５】
例えば異常音検出手段が異常音を検出したとする。このとき本発明では映像で患者の状態を確認できるので、例えば、大声を出して暴れているのか、たまたま強い咳をして誤検出されたのか等が確認できる。  
【発明を実施するための最良の形態】
【０００６】
図を用いて説明する。  病室にはカメラ４が設置してあり、患者３を写せるようになっている。  また、同様に集音マイク９が設置され、集音を行っている。        
【０００７】
集音マイクで集音した音声信号は、異常音検出手段で特定の信号が含まれているかを検出される。  音声信号に特定の信号が含まれていると、異常音検出手段はナースコールシステムに呼び出し信号を発する。        
【０００８】
ナースステーションにはナースコール親機１が設置されている。このナースコール親機は再生手段を有しており、カメラからの映像信号を再生する。  すなわち患者の様子を見ることが可能である。        
【０００９】
カメラからの映像信号は転送手段６にも送られる。  転送手段は映像信号をＰＨＳに適合する信号に変換し、ＰＨＳ回線に送出する。        
【００１０】
ＰＨＳ端末は看護師が携帯している。  ナースステーションに設置されているナースコール親機において呼び出しの対応が取れない場合など、携帯しているＰＨＳ端末で対応することができる。        
【００１１】
患者から呼出が発生すると転送手段は予め決められた番号のＰＨＳ端末に発呼をかける。  ＰＨＳ端末が着呼して、転送手段は通話の音声データ、及び映像データ等を転送する。        
【００１２】
ＰＨＳ端末は音声データを再生することはもちろん、映像信号も再生する。    
【図面の簡単な説明】
【００１３】
【図１】・・・本発明の構成図である
【符号の説明】
【００１４】
１  ナースコール親機          ２  ベッド          ３  患者          ４  カメラ          ５  再生手段          ６  転送手段          ７  ＰＨＳ端末          ８  異常音検出手段          ９  集音マイク
【図１】
2006288933.tif 000003
(57)【要約】【課題】ベッド近傍にセンサーマットを設置し、患者の離床を監視するシステムが知られているが、このような従来のシステムでは、離床を検出すると、看護師や介護師等が患者の基に出向いて様子を確認する必要があった。そこで本発明は、看護師や介護師等が患者の基に出向く事無く、患者が無事であるか様子を確認できるようにすることを課題とする。【解決手段】本発明では、圧力の有無を検出する検出手段を内包するマットをベッド近傍に置く。  また、検出手段からの検出信号を受け作動開始するカメラをベッド周りが映るように設置する。  一方、ナースセンター等にモニターを置き、カメラからの映像信号を再生する。【選択図】図１
2006288932.tif 000002
【特許請求の範囲】
【請求項１】
圧力の有無を検出する検出手段と、前記検出手段を内包するマットと、前記検出手段が圧力を検出すると作動を開始するカメラとからなり、前記マットをベッド近傍に置くとともに、前記カメラは前記ベッドを映し出すように設置し離床を監視する監視システム。
【発明の詳細な説明】
【技術分野】
【０００１】
病院等における離床監視。
【背景技術】
【０００２】
開示した特許文献のように、ベッド近傍にセンサーマットを設置し、患者の離床を監視するシステムが知られている。
【特許文献１】特開平10-094525  公報
【発明の開示】
【発明が解決しようとする課題】
【０００３】
ところで、従来のシステムでは、離床を検出すると、看護師や介護師等が患者の基に出向いて様子を確認する必要があった。そこで本発明は、看護師や介護師等が患者の基に出向く事無く、患者が無事であるか様子を確認できるようにすることを課題とする。    
【課題を解決するための手段】
【０００４】
本発明では、圧力の有無を検出する検出手段を内包するマットをベッド近傍に置く。  また、検出手段からの検出信号を受け作動開始するカメラをベッド周りが映るように設置する。  一方、ナースセンター等にモニターを置き、カメラからの映像信号を再生する。    
【発明の効果】
【０００５】
ナースセンター等に設置されたモニターを見ることで患者の様子が分かり、見に行く手間が省ける。  
【発明を実施するための最良の形態】
【０００６】
図を参照しながら説明する。        
【０００７】
マット１は圧力センサを内包する。  圧力センサの検出出力はカメラ４に接続され、検出信号によりカメラ４を動作／停止させる。  マット１自体はベッド２近傍に置かれ、患者３がベッドから離れる時に踏まれるようになされている。        
【０００８】
一方ナースステーション等にはモニタ５が設置され、カメラ４で撮影された映像が再生される。        
【０００９】
例えば、離床が検出され、モニタに映像が映し出される。  その映像で患者が床に倒れていれば緊急事態である。また、正常に立ち上がり背伸びをしているようなら慌てる必要はない。    
【図面の簡単な説明】
【００１０】
【図１】・・・本発明の構成図
【符号の説明】
【００１１】
１  マット              ２  ベッド              ３  患者              ４  カメラ              ５  モニタ  
【図１】
2006288932.tif 000003
(57)【要約】      （修正有）【課題】  危険な状況や緊急事態が発生した時に、ナースコール呼び出しボタンを押すことができない場合でも自動的にナースコールできる装置の提供。【解決手段】  傾斜センサーを内蔵した無線式呼出装置１０と、病室を映し出すように設置されたテレビカメラ９と、無線式呼出装置１０の呼び出しを検知して看護スタッフに報知するナースコール装置とを有し、傾斜センサーが一定以上に傾斜した時に傾斜センサーの接点がＯＮになって呼び出しを発生させる手段と、ナースコール装置のナースコール親機１へ報知すると共に、呼び出しを受け付けた無線機８が近傍のテレビカメラ９を起動させて病室内の映像をナースコール親機１へ送る手段を備える。【選択図】図１
2006288936.tif 000002
【特許請求の範囲】
【請求項１】
傾斜センサーを内蔵した無線式呼出装置と、病室を映し出すように設置されたテレビカメラと、前記無線式呼出装置の呼び出しを検知して看護スタッフに報知するナースコール装置とを有し、前記傾斜センサーが一定以上に傾斜した時に呼び出しを発生させ、前記ナースコール装置のナースコール親機へ報知すると共に、呼び出しを受け付けた無線機近傍の前記テレビカメラを起動させて病室内の映像を前記ナースコール親機へ送る手段を備えたことを特徴とするナースコール装置。
【発明の詳細な説明】
【技術分野】
【０００１】
本発明は、病院や介護施設に設置されるナースコール装置に関する。
【背景技術】
【０００２】
周知の様に、病院や福祉介護施設では主に看護師（福祉介護施設では介護士など）と患者が通話する為のナースコール装置が設置されている。  このナースコール装置では、患者が呼び出しに使用するナースコール子機が各ベッドに備えられ、ナースステーションにはナースコール親機が設置されていて、その間で通話できるようになっている。（特許文献１を参照）
【特許文献１】特許第２８８７５５２号公報
【発明の開示】
【発明が解決しようとする課題】
【０００３】
特に精神病院では、患者の転倒や看護スタッフが患者とのトラブルから転倒して危険な状況が発生する可能性がある。  しかし、危険な状況や緊急事態が発生した時に、ナースコール呼び出しボタンを押すことができない場合もありえる。  
【０００４】
本発明は、危険な状況や緊急事態が発生した時に、自動的に呼び出しが掛かることを目的としたものである。
【課題を解決するための手段】
【０００５】
傾斜センサーを内蔵した無線式呼出装置と、病室を映し出すように設置されたテレビカメラと、無線式呼出装置の呼び出しを検知して看護スタッフに報知するナースコール装置とを有し、傾斜センサーが一定以上に傾斜した時に傾斜センサーの接点がＯＮになって呼び出しを発生させる手段と、ナースコール装置のナースコール親機へ報知すると共に、呼び出しを受け付けた無線機が近傍のテレビカメラを起動させて病室内の映像をナースコール親機へ送る手段を備える。
【発明の効果】
【０００６】
看護スタッフまたは患者が転倒などの緊急事態を他の看護スタッフに自動的に知らせることができるため、迅速な対応が行える。
【発明を実施するための最良の形態】
【０００７】
以下、本発明の一実施形態を図面に基づいて説明する。
図１は、ナースコール装置の全体の構成を示す。
図２は、無線式呼出装置の内部構成を示す。
【０００８】
ナースコール親機（１）は、ナースコール制御機（２）を介して複数の廊下灯（５）と接続し、さらに廊下灯（５）は、ナースコール子機（６）、握り押しボタン（７）、無線機（８）などが接続されている。    無線式呼出装置（１０）または、握り押しボタン（７）から呼び出しがあると、ナースコール子機（６）、廊下灯（５）、ナースコール制御機（２）を経てナースコール親機（１）へ
呼び出しが掛かり、ナースコール親機（１）で応答すると通話路が形成されて通話することが出来る。
【０００９】
病室にはテレビカメラ（９）を設置し、通常状態では操作する人により画像制御装置（４）の制御で画像モニタ装置（３）に病室内の様子が映し出される。  
【００１０】
無線式呼出装置（１０）には傾斜センサーを内蔵して、  一定以上の傾斜があると呼び出しを掛ける。  無線機（８）または廊下灯（５）が、傾斜センサーによる呼び出しであると判定した時は、テレビカメラ（９）を自動起動して画像制御装置（４）の制御の基で優先的に画像モニタ装置（３）に表示する。    
【００１１】
無線式呼出装置（１０）  の傾斜センサーからの呼び出しは、  ナースコール親機（１）へ送信され、ナースコール親機（１）の音の鳴動と表示で看護スタッフに報知される。  
【００１２】
傾斜センサーからの呼び出しの時は、ナースコール制御機（２）から画像制御装置（４）にテレビカメラ（９）の起動を指示する信号を出すことも出来る。        この場合は、  どのテレビカメラ（９）を起動するのかの情報も画像制御装置（４）へ送信する。
【００１３】
図２は無線式呼出装置（１０）の内部構成を示す。    通常の呼び出しボタン（２７）の他に傾斜センサー（２８）や呼び出しを復旧させる復旧ボタン（２９）及び呼び出しの確認表示灯（３０）を設ける。
傾斜センサーが一定以上の傾斜があると接点（２８）がＯＮの状態に変化し、入出力部（２１）を経由して制御処理部（２２）で判断され、傾斜センサーによる呼び出しであると判定した時は、
呼び出し情報が送受信部（２３）で高周波に変調され、  アンテナ（２４）から電波として放射される。
【００１４】
メモリ部（２５）には無線式呼出装置（１０）の固有の識別番号が記憶されていて、その情報も呼び出しに付加されて送り出すので、    ナースコール親機（１）  では呼び出した無線式呼出装置（１０）が誰からなのかを表示することができる。
【図面の簡単な説明】
【００１５】
【図１】ナースコール装置の全体の構成
【図２】無線式呼出装置の内部構成
【符号の説明】
【００１６】
1.           
ナースコール親機
2.           
ナースコール制御機
3.           
画像モニタ装置
4.           
画像制御装置
5.           
廊下灯
6.           
ナースコール子機
7.           
握り押しボタン
8.           
無線機
9.           
テレビカメラ
10.    無線式呼出装置
21. 入出力部
22. 制御処理部
23. 送受信部
24. アンテナ
25. メモリ部
26. 電池
27. 呼び出しボタン
28. 傾斜センサー
29. 復旧ボタン
30. 確認表示灯
【図１】
2006288936.tif 000003
【図２】
2006288936.tif 000004
(57)【要約】【課題】  手に持ちながら操作しなくとも倒れることが無く、手軽にツボに振動を加えることのできるマッサージ器を提供する。【解決手段】  マッサージ器１はモータ及び振動発生手段を内蔵するモータケース２と、振動発生手段に連結する押当部３と、これらモータケース２と押当部３との間に介在する板材４と、この板材４より押当部３側に突設する脚体５を有する。マッサージ器１を仰向けの人体に載置し、恥骨の下部の窪みにあるツボに押当部３を当て、約２０分間程バイブレータを加える。腕力が殆ど無く身体の弱い高齢者や病弱な人であっても、自らの体に載置するだけでツボ治療を行なうことができる。【選択図】        図１
2006288902.tif 000002
【特許請求の範囲】
【請求項１】
少なくともモータ及び振動発生手段を内蔵するモータケースと、このモータケース端部に押当部を備えるマッサージ器において、モータケースと押当部の間に板材を介在し、この板材より押当部側に脚体を突設することを特徴とするマッサージ器。
【請求項２】
前記脚体は、伸縮可能な四本の脚体であることを特徴とする請求項１記載のマッサージ器。
【発明の詳細な説明】
【技術分野】
【０００１】
この発明は、手に持ちながら操作しなくとも手軽にツボに振動を加えることのできるマッサージ器に関するものである。
【背景技術】
【０００２】
東洋医学においては、体を運営していくのに必要な生命エネルギーの流れる筋を経路、この経路上に現れる反応点を経穴即ちツボと言い、病気はこの生命エネルギーの偏り・過不足・停滞によって起こると考えられている。診察により割り出された原因・病状によって、全身に数百箇所もあるツボの中から現在の症状を改善していくツボを選び、これに指圧・マッサージ等を加えることで体のこりや痛みを解消し、生体機能を整え、健康回復・健康増進を図っている。
【０００３】
家庭等で手軽にツボを揉みほぐす用具としては、小型の携帯用マッサージ器が広く用いられており、ピンポイントに振動を加える方式のものとしては、一般に棒状のタイプが多く、これは電池若しくはコンセントを電源とするモータを内蔵し、振動発生手段を介して押当部に振動を伝え、これを押圧することでツボをマッサージするものであった。
【０００４】
従来の携帯用マッサージ器は、把持部と押当部を有するもので、手に持ちながら操作していた。このようなマッサージ器としては、例えば下記に示すような従来技術があった。
【特許文献１】特開２００１−１０４４２７号公報
【特許文献２】特開平１１−２１６１６５号公報
【発明の開示】
【発明が解決しようとする課題】
【０００５】
しかし、従来のマッサージ器は、常に把持しながら、しかも適当な押圧力を作用させながらツボに振動を加えねばならず、ツボ治療が有効であると思われる場合でも、腕力の殆ど無く身体の弱い高齢者や体力や気力の衰えた病人等が自ら使用することは困難であった。
【０００６】
この発明は、従来のマッサージ器が有する上記の問題点を解消すべくなされたものであり、手に持ちながら操作しなくとも倒れることが無く、手軽にツボに振動を加えることのできるマッサージ器を提供することを目的としている。
【課題を解決するための手段】
【０００７】
上記課題を解決するため、この発明のマッサージ器は、少なくともモータ及び振動発生手段を内蔵するモータケースと、このモータケース端部に押当部を備えるマッサージ器において、モータケースと押当部の間に板材を介在し、この板材より押当部側に脚体を突設することを特徴とするものである。
【０００８】
脚体は、これを体に置いたとき押当部がツボに接触して振動を加えられる長さとする。押当部は、機器の傾斜に影響を受けない球形が望ましく、肌に感触の良い軟質の合成ゴム等を使用する。
【０００９】
このマッサージ器は仰向けの人体に載置して用いるのが望ましく、例えば恥骨の下部の窪みにあるツボに押当部を当て、約２０分間程バイブレータを加える。腕力が殆ど無く身体の弱い高齢者や病弱な人であっても、自らの体に載置するだけでツボ治療を行なうことができる。
【００１０】
脚体は伸縮可能な四本の脚体であることが望ましく、例えば二重管の内部に弾性体を収納する構造とする。脚体を伸縮させることで押当部の接触面積を調整する。
【発明の効果】
【００１１】
この発明のマッサージ器は、板材より押当部側に脚体を突設するので、手に持ちながら操作しなくとも倒れることが無く、仰向けの人体に載置して用いることができ、腕力が殆ど無く身体の弱い高齢者や病弱な人であっても、ツボ治療を行なうことができる。
【００１２】
請求項２記載のマッサージ器は、伸縮可能な四本の脚体を有するので安定的であると同時に脚体を伸縮させることで押当部の接触面積を調整することができる。
【発明を実施するための最良の形態】
【００１３】
次にこの発明の実施の形態を添付図面に基づき詳細に説明する。図１はマッサージ器の正面図、図２は同平面図、図３は同底面図である。マッサージ器１は、図示しないモータ及び振動発生手段を内蔵するモータケース２と、振動発生手段に連結する押当部３と、これらモータケース２と押当部３との間に介在する板材４と、この板材４より押当部３側に突設する脚体５を有する。
【００１４】
脚体５は、筒状の外管５ａと有底の内管５ｂからなる二重管構造で内部にコイルバネ５ｃを収納する。押当部３の形状は、機器の傾斜に影響を受けない球形が望ましいが、円板状、リング状等任意の部材を用いることができ、当該部分を交換し得る構造としてもよい。モータケース２の上部にはスイッチ２ａを設け、モータ近傍には換気用の孔２ｂを穿設する。
【００１５】
板材４は矩形板体中央に凹部４ａを設ける構造が望ましい。凹部４ａを設けることで載置する際の収まりがよくなる。モータの電源は電池でもよいし、図示しないコードをコンセントに差込む方式でもよい。このマッサージ器１を図４に示すように恥骨の下部の窪み６にあるツボに押当部３を当てて使用する場合、必要な振動は、一パターンの振動でよい。スイッチ２ａでは電源のＯＮ・ＯＦＦの他、振動の強弱、速度調節、タイマーを備えることもできる。又、モータケース上部には片手で持ち運べるよう図示しない持手を具備してもよく、又手触りが良い形体であれば、どのような形状でも可能である。
【００１６】
このマッサージ器の従来の機器と大きく異なる点は、振動部分を垂直にしても倒れないことであり、腕力が殆ど無く身体の弱い高齢者や病弱な人であっても、自らの体に載置するだけでツボ治療を行なうことができる点にある。
【産業上の利用可能性】
【００１７】
この発明のマッサージ器は恥骨の下部の窪みにあるツボに適用できるだけでなく、載置可能なツボであれば任意の位置で用いることができる。
【図面の簡単な説明】
【００１８】
【図１】マッサージ器の正面図である。
【図２】マッサージ器の平面図である。
【図３】マッサージ器の底面図である。
【図４】マッサージ器を載置する人体の正面図である。
【符号の説明】
【００１９】
１  マッサージ器
２  モータケース
３  押当部
４  板材
５  脚体
【図１】
2006288902.tif 000003
【図２】
2006288902.tif 000004
【図３】
2006288902.tif 000005
【図４】
2006288902.tif 000006
(57)【要約】      （修正有）【課題】従来の背負子の形状の工夫を加える事によって、釣竿の置き場所として利用出来るようにする。【解決手段】背負子の一部分を加工し、一手間をかける事によってコンクリート堤防の上等は釣竿置きとして利用する。背負子の上の幅を狭くする事によって、肩ひもが狭くなり肩に馴染むことが出来る。【選択図】図１
2006288999.tif 000002
【特許請求の範囲】
【請求項１】
長方形の枠の上部に凹凸、又は半円の切込み図１を設けたことを特徴とする背負子。
【請求項２】
枠の上部、２ヶ所図２に設けた事を特徴とする背負子。
【請求項３】
長方形の枠の上下図３の幅の違う事を特徴とする背負子。
【請求項４】
本件（背負子）は、木製を基本としているが金管製（パイプ）で作られても木製と利用価値は何ら変わりは無い。
【発明の詳細な説明】
【技術分野】
【００１】  本発明は、従来の背負子の形状に工夫を加える事によって、釣竿の置き場所として利用出来るようにしたものである。【００２】  従来の背負子の上下の幅を、上は狭く下は広くする事によって、肩への違和感を無くし背負い良くするものである。
【発明の開示】
【発明が解決しようとする課題】
【００３】  海釣り、川釣り等に行く場合、荷物がなかなか多く（クーラー、竿、雨具、餌）いるものである。そこで、この背負子を運搬器具として利用すると良い。【００４】  又、現場に到着すると背負子は不用物となるので、竿置場又は、竿立場として利用すると良い。【００５】  そこで、この背負子の上に石、クーラー、人が重しとして乗せると良い人の場合は跨いで座ると良い。図２
【発明の効果】
【００６】  本発明により、コンクリートブロック堤防の上に容易に釣竿を置く事が出来る。
【図１】
2006288999.tif 000003
【図２】
2006288999.tif 000004
【手続補正書】
【提出日】平成17年8月27日(2005.8.27)
【手続補正１】
【補正対象書類名】明細書
【補正対象項目名】全文
【補正方法】変更
【補正の内容】
【発明の詳細な説明】
【技術分野】
【００１】  本発明は、従来の背負子の形状に工夫を加える事によって、釣竿の置き場所として利用出来るようにしたものである。【００２】  従来の背負子の上下の幅を、上は狭く下は広くする事によって、肩への違和感を無くし背負い良くするものである。
【発明の開示】
【発明が解決しようとする課題】
【００３】  海釣り、川釣り等に行く場合、荷物がなかなか多く（クーラー、竿、雨具、餌）いるものである。そこで、この背負子を運搬器具として利用すると良い。【００４】  又、現場に到着すると背負子は不用物となるので、竿置場又は、竿立場として利用すると良い。【００５】  そこで、この背負子の上に石、クーラー、人が重しとして乗せると良い人の場合は跨いで座ると良い。
【発明の効果】
【００６】本発明により、コンクリートブロック堤防の上に容易に釣竿を置く事が出来る。
【図面の簡単な説明】
【０００７】
【図１】従来の背負子の釣竿を置けるように、改良した背負子の断面図である。
【図２】背負子に釣竿を実際に使用した場合の断面図である。
【符号の説明】
【図１】
▲１▼＝釣竿がころがら無い程度の三角のキズを付ける。
さらにキズを上方にする。
▲２▼＝釣竿の手元が、はまる位の半円をつける。
さらに半円を下方にする。
▲３▼＝背負子の巾を意味する上段の巾より５ｃｍ位せまくする。
▲４▼＝背負子の腰当の布
▲５▼＝肩当てひも
▲６▼＝荷物をのせる台
【図２】
▲７▼＝釣竿
▲８▼＝クーラー（重し）又は人間がこしかけ用にしても良い。
【手続補正２】
【補正対象書類名】図面
【補正対象項目名】全図
【補正方法】変更
【補正の内容】
【図１】
2006288999.tif 000005
【図２】
2006288999.tif 000006
(57)【要約】【課題】年齢、体格、人種、障害等にかかわらず、すべての人を豊かに、幸せにする事を目指し、かけ外しが非常に容易なユニバーサルデザインの釦を提供する。【解決手段】釦形状を略三角形とし、釦を留める際に三角の一辺を押すので面積が大きく押し易く、釦ホール挿入側が尖った形状のために釦ホールへの挿入がやり易く、釦のかけ外し作業が非常に容易な釦とする事が出来る。【選択図】図３
2006288993.tif 000002
【特許請求の範囲】
【請求項１】
釦形状を略三角形とし、釦を留める際に一辺を押すので面積が大きく押し易く、挿入側が尖った形状のために釦ホールへの挿入がやり易い事により、釦のかけ外し作業が非常に容易な釦。
【請求項２】
釦全体が碁石型である請求項１に記載の釦。
【発明の詳細な説明】
【技術分野】
【０００１】本発明は衣類用の釦に関する。
【背景技術】
【０００２】  昨今言われているユニバーサルデザインであるが、これは年齢、体格、人種、障害等にかかわらず、すべての人を豊かに、幸せにする事を目指したものである。衣類用の釦や付属品類については弊社が既に特許、実用新案で出願したものの他には、ほとんど見当たらない状況である。【０００３】
【特許文献１】特許公開２００２年第３３０８０２号公報
【発明の開示】
【発明が解決しようとする課題】
【０００４】  そこで本発明は年齢、体格、人種、障害等にかかわらず、すべての人がかけ外しが非常に容易に出来る釦を提供する事を目的とする。
【課題を解決するための手段】
【０００５】  本発明は、以上の課題を解決するため、釦形状を略三角形とし、釦を留める際に三角の一辺を押すので面積が大きく押し易く、釦ホール挿入側が尖った形状のために釦ホールへの挿入がやり易く、釦のかけ外し作業が非常に容易な釦となった。
【発明の効果】
【０００６】  本発明により、年齢、体格、人種、障害等にかかわらず、すべての人がかけ外しが非常に容易に出来る釦を提供する事が出来る。
【発明を実施するための最良の形態】
【０００７】  以下、本発明の実施の形態を図１〜図３に基づき説明する。【０００８】  図において三角釦１の３箇所の１ａが直線状辺部、３箇所の１ｂが尖った先端部である。釦ホールに対して尖った部分を挿入するので操作が非常にし易い。
【図面の簡単な説明】
【０００９】
【図１】本発明の実施形態を示す三角釦の平面図。
【図２】同三角釦の図１Ａ−Ａ方向の側面図。
【図３】同三角釦を留めるために、尖った先端部を釦ホールに通す状態を示す説明図。
【符号の説明】
【００１０】１    −三角釦
１ａ  −直線状辺部
１ｂ  −尖った先端部
１ｃ  −糸穴
２    −糸
３ａ  −生地
３ｂ  −釦ホール
４    −手指
【図１】
2006288993.tif 000003
【図２】
2006288993.tif 000004
【図３】
2006288993.tif 000005